(57)【要約】    【課題】被貼付物に貼り付け際、アンテナが配された正面に対し、側面よりの書込み・読取りが可能な情報記録担体を提供する。【解決手段】矩形状の基材と、基材に貼り合せされるとともに、矩形状の一辺８ａより対向する他辺８ｂに向けて導波用アンテナ１２、情報の書込みおよび読込みを可能としたＩＣチップ１０を備えた受信用アンテナ１３、反射用アンテナ１４が平面状に順次配されたＲＦＩＤインレット５と、を備えたことを特徴とする。【選択図】  図１
2008225959.tif 000002
【特許請求の範囲】
【請求項１】
矩形状の基材と、
前記基材に貼り合わせるとともに、矩形状の一辺より対向する他辺に向けて導波用アンテナ、情報の書込みおよび読込みを可能としたＩＣチップを備えた受信用アンテナ、反射用アンテナが平面上に順次配されたＲＦＩＤインレットと、を備えたことを特徴とする情報記録担体。
【請求項２】
前記各アンテナ間の距離は等間隔であることを特徴とする請求項１に記載の情報記録担体。
【請求項３】
前記導波用アンテナ、受信用アンテナおよび反射用アンテナの各アンテナ間を結ぶ接続部材を、さらに設けたことを特徴とする請求項１または２に記載の情報記録担体。
【発明の詳細な説明】
【技術分野】
【０００１】
本発明は、通信距離が短い従来のＲＦＩＤが内蔵された情報記録担体の不具合を克服し、平面（垂直方向）からではなく、側面（水平方向）からの通信距離を伸ばすことが可能な情報記録担体に関する。
【背景技術】
【０００２】
従来、内蔵されたＲＦＩＤ（Ｒａｄｉｏ  Ｆｒｅｑｕｅｎｃｙ−Ｉｄｅｎｔｉｆｉｃａｔｉｏｎ）の通信距離を伸ばすよう工夫したＲＦＩＤタグ（情報記録担体）が知られている（例えば、特許文献１参照）。
特許文献１のＲＦＩＤタグによれば、誘電体などからなる第１部品と、この第１部品に電気的に接続される通信アンテナおよび回路チップなどを備えた第２部品とを張り合わせることにより読取り・書込み装置などによる読取り・書込みの通信距離を長くしている。
しかしながら、前記のＲＦＩＤタグは、アンテナに対して正面（垂直方向）からの読取り・書込みに対する通信距離は長くなるものの、側面（水平方向）からの読取り・書込みはほとんどできないという問題があった。
上記の問題点である側面側（水平方向）からの読取り・書込みに対応し、アンテナとの相対角度、あるいは、物品に貼付される場合にはその貼付面によらずに情報書込み／読込み装置との通信距離を一定にしたＲＦ−ＩＤメディア（情報記録担体）が開発されている（例えば、特許文献２参照）。
特許文献２のＲＦ−ＩＤメディアによれば、ベース基材を折り曲げ可能な折り線を介して複数の領域に分割し、被対象物の縁に前記折り線を合わせ１つの領域を側面に折り曲げ、それぞれの領域にて、ＩＣモジュールに対する情報の書き込みおよび読み出しを行うためのアンテナを形成することにより、領域が形成された複数の面に対する書込み・読出しの通信距離を一定としたものである。
しかしながら、特許文献２のＲＦ−ＩＤメディアは、アンテナが形成された領域が大きいため、これを貼り付ける被対象物が大きい場合には折り曲げは可能であるものの、例えば、書架に並んだ書籍やラックに陳列するＣＤなどに張り付けた場合、折り曲げた領域により書名や収納音楽などのタイトルが表示された背表紙が隠されてしまうため、厚みの薄い書籍やＣＤには不向きであるという問題があり、書籍やＣＤなどの厚みの薄い物に用いることができ、しかも、書架やラックなどに並べられた場合でも背表紙の方向から読み取れるようなＲＦ−ＩＤメディア（情報記録担体）の開発が望まれた。
【特許文献１】特開２００６−３０１６９０号公報
【特許文献２】特開２００３−２１６９１９号公報
【発明の開示】
【発明が解決しようとする課題】
【０００３】
本発明は、上記の問題点に着目してなされたものであり、被貼付物に貼り付けた際、アンテナが配された正面（平面）に対し、側面よりの書込み・読取りが可能な情報記録担体を提供することを目的とする。
【課題を解決するための手段】
【０００４】
本発明に係る情報記録担体は、矩形状の基材と、前記基材に貼り合わせるとともに、矩形状の一辺より対向する他辺に向けて導波用アンテナ、情報の書込みおよび読込みを可能としたＩＣチップを備えた受信用アンテナ、反射用アンテナが平面上に順次配されたＲＦＩＤインレットと、を備えたことを特徴とする。
また、各アンテナ間の距離は等間隔であるようにできる。
また、導波用アンテナ、受信用アンテナおよび反射用アンテナの各アンテナ間を結ぶ接続部材を、さらに設けるようにできる。
【発明の効果】
【０００５】
発明に係る情報記録担体は、矩形状の一辺より対向する他辺に向けて導波用アンテナ、情報の書込みおよび読込みを可能としたＩＣチップを備えた受信用アンテナ、および反射用アンテナを順次配したＲＦＩＤインレットを基材に貼りあわせて積層したので、側面である一辺側からの電波に対し、先ず導波用アンテナにおいて受けた電波が共振して受信アンテナに伝わるとともに、導波用アンテナにて受信できなかった電波はＩＣチップに接続された次の受信用アンテナで受信でき、さらに、導波用アンテナおよび受信用アンテナで受信できずに通り過ぎた電波は最奥部に配される反射用アンテナで受信され、共振した電波を受信用アンテナに伝えることにより電波が有効に作用するため、もって一辺（側面）側からの読取り・書込みの通信距離が伸びるという効果がある。
また、各アンテナ間の距離を位相の強め合う等間隔の距離とすれば、共振がより強力となる。
また、導波用アンテナ、受信用アンテナおよび反射用アンテナの各アンテナ間を結ぶ接続部材を、さらに設けるようにすれば、共振の伝達がより確実となる。
【発明を実施するための最良の形態】
【０００６】
以下、本発明の一実施の形態による情報記録担体を図１ないし図３に基づき説明する。
図１は、情報記録担体の平面図であり、図２は、図１中、矢示ＩＩ−ＩＩ線に沿う概略断面図である。
なお、以下においては説明の都合上、「情報記録担体」として、粘着剤層を備えた「ラベル」を例として説明する。
同図に示すように、情報記録担体１は、長尺状の台紙２と、この台紙２の上に粘着剤層３を介して積層された基材４と、基材４の上に積層された状態で内蔵されたＲＦＩＤインレット５と、表面側の厚紙６と、を備える。
【０００７】
台紙２の裏面（図２における下部）には、等間隔で識別マーク７が予め印刷してあり、この識別マーク７、７間はピッチＰと称され、印字や切断する際の一単位とされている。
基材４は、裏面（図２における下部）に粘着剤層３が形成されており、前述したように粘着剤層３を介して台紙２に積層されるとともに、剥離可能に仮着されている。
ＲＦＩＤインレット５は、樹脂フィルムなどで作製された矩形状のシート基材８を備え、このシート基材８上に複数本（本実施の形態では三本）の環状のアンテナ９、および各種の情報を蓄積するためのＩＣチップ１０が設けられており、かつ、シート基材８の裏面（図２における下部）側には、図示省略の粘着剤が塗布されており、この粘着剤（図示省略）を介して前記基材４に貼り合わされるようになっている。
アンテナ９は、シート基材８の一辺８ａから対向する他辺８ｂに向けて順に、導波用アンテナ１２、受信用アンテナ１３、および反射用アンテナ１４が平面上に配されて成り、かつ受信用アンテナ１３には、ＩＣチップ１０が接続されている。また、一辺８ａ側に配される導波用アンテナ１２は環の径が一番小さく、次いで受信用アンテナ１３が中位の環、その次の反射用アンテナ１４の環の径がもっとも大きく形成されており、したがって、一辺８ａ側に配された導波用アンテナ１２の長さが一番短く、次いで受信用アンテナ１３、そして他辺８ｂ側の反射用アンテナ１４がもっとも長い長さとなり、かつ、各アンテナ１２、１３、１４間の距離は、等間隔の距離ｄとされている。さらに、ＲＦＩＤインレット５は、ＲＦＩＤ（Ｒａｄｉｏ  Ｆｒｅｑｕｅｎｃｙ  Ｉｄｅｎｔｉｆｉｃａｔｉｏｎ）による情報の送受信が可能であり、受信用アンテナ１３を介してＩＣチップ１０に対し図示省略の価格や商品番号などの必要項目情報の書込みおよび読込みが行われるようになっており、前記各アンテナ１２、１３、１４間の距離ｄは、使用するＲＦＩＤ書込み装置（図示省略）の電波の１／４波長とすることが望ましい。なお、アンテナ９は、印刷あるいは蒸着またはエッチング方式など既知の技術を用いてシート基材８上に形成される。
厚紙６の表面側（図２における上部側）には、各種表示用の任意情報（図示省略）を印刷可能であり、かつ、裏面側には粘着剤層１１が形成されており、前記基材４との間にシート基材８を挟んだ状態で積層して基材４に貼り合わせることによりシート基材８のアンテナ９やＩＣチップ１０を保護する役目も果たすようになっている。なお、厚紙６としては、印刷の方式に応じて、これをサーマル発色紙とするか、一般の上質紙とするかを選択可能である。
上記の構成の情報記録担体１は、図示省略の印字装置により、前記厚紙６の表面側に必要項目情報を印字した上で、識別マーク７、７間の１ピッチＰごとに切断し、積層された基材４、ＲＦＩＤインレット５および厚紙６ごと台紙２より剥がして基材４裏面の粘着剤層３を表出し、この粘着剤層３を介して「被貼付物」に貼り付けが可能となっている。
【０００８】
次に、主に、図３に基づき、情報記録担体１の使用状態につき説明する。
図３は、棚（ＣＤラック）２０に並べられた被貼付物としてのＣＤ２１に情報記録担体１を貼り付けた状態を示す概略斜視図である。
情報記録担体１をＣＤ２１に表示する際、導波用アンテナ１２が配された一辺８ａ側を背表紙側に、また、反射用アンテナ１４が配された他辺８ｂ側を棚２０の奥側になるようＣＤ２１の側面に貼り付ける。
棚２０に並べられたＣＤ２１の側面に貼り付けられた情報記録担体１は、図示省略の読取り・書込み装置にて読取り・書込みをする際、同記録担体１の平面（正面）であるＣＤ２１の側面（アンテナ９が配された平面に対し垂直方向である矢示Ｓ方向）からは棚２０や他のＣＤ２１が邪魔となって読み取れない。必然的にＣＤ２１の背表紙側（アンテナ９が配された平面に対し水平方向である矢示Ａ方向）より読み取ることになる。このとき、情報記録担体１は、背表紙側に導波用アンテナ１２、その奥に受信用アンテナ１３、さらに奥に反射用アンテナ１４が、等間隔の距離ｄで配され、あたかも八木アンテナ（商標登録）のような配置状態を呈し、図示省略のＲＦＩＤ読取り装置よりの電波を背表紙側（矢示Ａ方向）より受けると導波用アンテナ１２において受けた電波が共振して受信アンテナ１３に伝わるとともに、導波用アンテナ１２にて受信できなかった電波はＩＣチップに接続された次の受信用アンテナ１３で受信でき、さらに、前記導波用アンテナ１２および受信用アンテナ１３で受信できずに通り過ぎた電波は最奥部に配される反射用アンテナ１４にて受信され、共振した電波を受信用アンテナ１３に伝え、電波が有効に作用するため、情報記録担体１の一辺８ａである側面（矢示Ａ方向）側からの読取り・書込みの通信距離が伸びるものである。従って、ＣＤ２１や書籍のように厚みの薄い被貼付物に貼り付けた場合、背表紙側よりの情報の読取り・書込みが可能となるため、棚２０に並べたＣＤ２１のように狭い場所における被貼付物の読取り・書込みに有効である。
【０００９】
次に、図４に基づき、第２の実施の形態につき説明する。
なお、以下において、先の実施の形態と同様の部分は同一符号を付すに止め、詳細を省略する。
先の実施の形態では環状の、いわゆる低周波帯に用いるアンテナ９を例としたが、本実施の形態では、ＵＨＦ帯に対応した短い直線状のアンテナを用いた情報記録担体２４の例で説明する。
この情報記録担体２４のＲＦＩＤインレット２５は、シート基材８の一辺８ａより他辺８ｂに向けて複数の直線状のアンテナ２６が配されており、このアンテナ２６は、一辺８ａ側に長さが一番短い導波用アンテナ２７を配し、真ん中にＩＣチップ１０が接続された受信用アンテナ２８、そして、他辺８ｂ側に一番長い反射用アンテナ２９を配する。なお、導波用アンテナ２７と受信用アンテナ２８の間、および受信用アンテナ２８と反射用アンテナ２９の間は、おのおの等間隔の距離ｄとされている。
前記ＲＦＩＤインレット２５は、基材４に対し粘着剤（図示省略）を介して貼り合わせ、かつ、ＲＦＩＤインレット２５の上に厚紙６を積層して基材４と厚紙６とで挟んで形成するものであり、識別マーク７の位置に、ミシン目３０が施されている。従って、厚紙６の表面に必要項目情報を印字した後、積層された基材４、ＲＦＩＤインレット２５および厚紙６ごとミシン目３０に添って台紙２より剥がし基材４裏面の粘着剤層３を表出し、この粘着剤層３を介して「被貼付物」に貼り付けるようにする。
上記の情報記録担体２４をＣＤ２１に表示する際、導波用アンテナ２７が配された一辺８ａ側を背表紙側に、次に、受信用アンテナ２８、そして、反射用アンテナ２９が配された他辺８ｂ側を棚２０の奥側になるようＣＤ２１の側面に貼り付ける。
棚２０に並べられたＣＤ２１の側面に貼り付けられた情報記録担体２４は、背表紙側より導波用アンテナ２７、受信用アンテナ２８、および反射用アンテナ２９の順に配列された状態でＣＤ２１に貼り付けられて棚２０に陳列され、背表紙側よりの読取り・書込み装置（図示省略）による読取り・書込みに際し、受信用アンテナ２８で受信できなかった電波が導波用アンテナ２７、および反射アンテナ２９の共振により受信用アンテナ２８に伝わり、電波が有効に作用するので、一辺８ａである側面（矢示Ａ方向）側からの読取り・書込みの通信距離が伸びるものである。
その他の構成、作用、効果については、先の実施の形態とほぼ同様につき詳説を省略する。
【００１０】
次に、図５に基づき、第３の実施の形態につき説明する。
なお、以下において、先の実施の形態と同様の部分は同一符号を付すに止め、詳細を省略する。
本実施の形態の情報記録担体３１は、先の実施の形態の情報記録担体２４に、「接続部材」を設けたことを特徴としている。すなわち、この情報記録担体３１のＲＦＩＤインレット３２は、シート基材８の一辺８ａより他辺８ｂに向けて導波用アンテナ２７、受信用アンテナ２８、他辺８ｂ側に反射用アンテナ２９を順に配しており、かつ、前記各アンテナ２７、２８、２９を接続部材３３にて接続している。接続部材３３は、前記導波用アンテナ２７、受信用アンテナ２８および反射用アンテナ２９間を接続して前記各アンテナ２７、２８、２９間の共振が伝わり易いように設けた「ダイポール」としての役目を果たすようになっている。従って、上述のように構成された情報記録担体３１より、積層された基材４、ＲＦＩＤインレット３２および厚紙６ごとミシン目３０に添って台紙２より剥がし基材４裏面の粘着剤層３を表出し、この粘着剤層３を介して「被貼付物」に貼り付ければ、背表紙側よりの読取り・書込み装置（図示省略）による読取り・書込みの際、受信用アンテナ２８で受信できなかった電波は導波用アンテナ２７、および反射アンテナ２９にて共振するとともに、この共振が接続部材３３を介しても受信用アンテナ２８に伝わるため、共振効率が高まるものである。
その他の構成、作用、効果については、先の実施の形態とほぼ同様につき詳説を省略する。
【００１１】
なお、上記実施の形態の構成及び動作は例であって、本発明の趣旨を逸脱しない範囲で適宜変更することができることは言うまでもない。
【００１２】
例えば、説明の都合上、情報記録担体１、２４、３１は台紙２を備えた「ラベル」として説明したがこれに限定されないことは勿論であり、アンテナ９、２６およびＩＣチップ１０に干渉しない部分に図示省略の糸などを通して「ＲＦＩＤタグ」として使用することもできる。
【図面の簡単な説明】
【００１３】
【図１】本発明に係る情報記録担体の第１の実施の形態を示す平面図である。
【図２】同、図１中、矢示ＩＩ−ＩＩ線に沿う概略断面図である。
【図３】同、被貼付物に情報記録担体を貼り付けた状態を示す概略斜視図である。
【図４】同、第２の実施の形態を示す図１相当の平面図である。
【図５】同、第３の実施の形態を示す図１相当の平面図である。
【符号の説明】
【００１４】
ｄ    等間隔の距離
１    情報記録担体（第１の実施の形態）
２    台紙
３    粘着剤層
４    基材
５    ＲＦＩＤインレット
６    厚紙
７    識別マーク
８    シート基材
９    アンテナ
１０  ＩＣチップ
１１  粘着剤
１２  導波用アンテナ
１３  受信用アンテナ
１４  反射用アンテナ
２０  棚（ＣＤラック）
２１  被貼付物（ＣＤ）
２４  情報記録担体（第２の実施の形態）
２５  ＲＦＩＤインレット
２６  アンテナ
２７  導波用アンテナ
２８  受信用アンテナ
２９  反射用アンテナ
３０  ミシン目
３１  情報記録担体（第３の実施の形態）
３２  ＲＦＩＤインレット
３３  接続部材
【図１】
2008225959.tif 000003
【図２】
2008225959.tif 000004
【図３】
2008225959.tif 000005
【図４】
2008225959.tif 000006
【図５】
2008225959.tif 000007